(57)【要約】【課題】装置本体の異なる外側面に設けられた第１又は第２の操作手段を操作するときに表示手段の表示内容を見てそれぞれの操作手段の操作ができる電子装置を提供する。【解決手段】装置本体１の前部２にはキーボード３が設けられ、装置本体１の背部１５には画像を記録したメモリカード用のカードスロットが設けられ、装置本体１の上面７には液晶表示部９が設けられている。この液晶表示部９にはその向きを変更可能な回転変位機構が設けられており、キーボード３を用いて葉書の文面を作成するなどワープロ機能を使用する場合には液晶表示部９を装置本体１の前面２側に向け、カードスロットにメモリカードを装着操作して写真画像を印刷する場合には液晶表示部９を装置本体１の背面１５側に向ける。これにより表示画面を見てそれぞれの操作を行うことができる。【選択図】    図１
2005091507.tif 000002
【特許請求の範囲】
【請求項１】
装置本体の異なる外面側に第１及び第２の操作手段を備えるとともに、これらの操作手段の操作に対応して表示画面に情報を表示する表示手段を備え、操作手段からの操作に基づいて所定の処理を行う電子装置であって、
前記第１及び第２の操作手段の操作時に操作者が前記表示画面が見えるように前記表示手段の向きを前記第１及び第２の操作手段の位置に対応させて変更可能な表示手段姿勢変更手段を備えることを特徴とする電子装置。
【請求項２】
前記表示手段姿勢変更手段は、前記表示手段の向きを第１の操作手段側に対応させる一方、前記表示手段の上下を反転させてその向きを第２の操作手段側に対応させる変位機構を備え、
更に、前記電子装置は、前記変位機構を介して前記表示手段が前記第２の操作手段側に対応するべく変位したことを検知する検知手段と、
前記検知手段の情報に基づいて表示画面の上下左右を反転して表示する表示制御手段と、
を備えたことを特徴とすることを特徴とする請求項１記載の電子装置。
【請求項３】
前記表示手段姿勢変更手段は、前記表示手段の向きを第１の操作手段側に対応させる一方、前記表示手段の上下を反転させてその向きを第２の操作手段側に対応させる変位機構を備え、
更に、前記電子装置は、
表示画面の上下左右を反転して表示することを指示する反転表示指示手段と、
前記反転表示指示手段の指示に基づいて表示画面の上下左右を反転して表示する表示制御手段と、
を備えたことを特徴とすることを特徴とする請求項１記載の電子装置。
【発明の詳細な説明】
【技術分野】
【０００１】
本発明は、操作手段及びその操作手段の操作に対応して情報を表示する表示手段を備えた電子装置に関し、さらに詳しくは第１及び第２の操作手段に対応して表示手段の向きを変える機構を設けた電子装置に関する。
【背景技術】
【０００２】
従来、特開平８−１８５２４３号公報に開示されるワードプロセッサは、装置本体の上面にキー入力部を備え、装置本体の上面の後部に装置本体にヒンジ結合された支持部によって支持された表示画面を有する表示部を備え、表示部をキー入力部をカバーする位置と装置本体上に立ち上がる位置とに回動可能とし、更に表示部を支持部に対して９０°回動可能にして表示画面を縦長姿勢あるいは横長姿勢に変更できるように構成している。
【０００３】
このワードプロセッサでは、ヒンジ部分によって表示部を装置本体に対して回動可能としているため、操作者がキー入力部を操作するときに表示画面が見やすい角度位置まで表示部を回動し、また編集する文書に応じて支持部に対して表示部を９０°回動することで、表示画面を縦長姿勢あるいは横長姿勢に変更して作業を行うことができる。
【特許文献１】特開平８−１８５２４３号公報
【発明の開示】
【発明が解決しようとする課題】
【０００４】
従来の装置は、回動支持機構を設けることにより表示部の角度を調整し縦横に表示部の姿勢を変更できることは便利であるが、表示部の角度の調整や表示部の縦横への姿勢変更が可能だとしても、表示部の向きは入力操作を行うキー入力部に対応しているだけである。
【０００５】
したがって、例えば、装置本体の異なる外面側にそれぞれ操作部を備え、それらの操作部の操作に関連する情報を表示部で表示するような装置では、各操作部の操作に対応して表示部の表示画面を見やすくすることが望まれるが、このような表示部の回動支持機構では、表示部の向きを単一の操作部にのみ対応させ得るのみで、複数の異なる位置の操作部に表示部の向きを対応させることはできない。
【０００６】
本発明はこのような点に着目してなされたもので、装置本体の異なる外面側に第１及び第２の操作手段を備えた電子装置において、夫々の操作手段の操作時に表示手段に表示される表示内容を見ることができる電子装置を提供することを目的とする。
【課題を解決するための手段】
【０００７】
請求項１の発明は、装置本体の異なる外面側に第１及び第２の操作手段を備えるとともに、これらの操作手段の操作に対応して表示画面に情報を表示する表示手段を備え、操作手段からの操作に基づいて所定の処理を行う電子装置であって、前記第１及び第２の操作手段の操作時に操作者が前記表示画面が見えるように前記表示手段の向きを前記第１及び第２の操作手段の位置に対応させて変更可能な表示手段姿勢変更手段を備えることを特徴とする。
【０００８】
また、請求項２の発明は、請求項１の電子装置において、前記表示手段姿勢変更手段は、前記表示手段の向きを第１の操作手段側に対応させる一方、前記表示手段の上下を反転させてその向きを第２の操作手段側に対応させる変位機構を備え、更に、前記電子装置は、前記電子装置は前記変位機構を介して前記表示手段が前記第２の操作手段側に対応するべく変位したことを検知する検知手段と、前記検知手段の情報に基づいて表示画面の上下左右を反転して表示する表示制御手段と、を備えたことを特徴とすることを特徴とする。
【０００９】
また、請求項３の発明は、請求項１の電子装置において、前記表示手段姿勢変更手段は、前記表示手段の向きを第１の操作手段側に対応させる一方、前記表示手段の上下を反転させてその向きを第２の操作手段側に対応させる変位機構を備え、更に、前記電子装置は、表示画面の上下左右を反転して表示することを指示する反転表示指示手段と、前記反転表示指示手段の指示に基づいて表示画面の上下左右を反転して表示する表示制御手段と、を備えたことを特徴とすることを特徴とする。
【発明の効果】
【００１０】
請求項１の発明によれば、装置本体の異なる外面側にそれぞれ設けられた第１及び第２の操作手段に対応して表示手段の向きを変更し、第１及び第２の操作手段のそれぞれの操作時に操作者が表示画面を見て操作することが可能になる。
【００１１】
また、請求項２及び請求項３の発明によれば、変位機構によって表示手段の向きを第１の操作手段側に対応させる一方、表示手段の上下を反転させてその向きを第２の操作手段側に対応させたときに、表示画面に表示される表示内容を正立して表示することができる。
【発明を実施するための最良の形態】
【００１２】
以下、この発明の実施の形態について図面を参照して説明する。
【００１３】
図１は本発明の一実施形態に係る電子装置としての印刷装置を前面側から見た外観斜視図、図２はその印刷装置を背面側から見た外観斜視図である。
【００１４】
この印刷装置は、住所録を作成するとともに葉書などの文面を編集し、葉書の宛名印刷及び葉書の文面を印刷するワープロ機能を有し、またデジカメで撮影した写真画像を取り込んで印刷する写真画像の印刷機能を有している。
【００１５】
図１において、印刷装置は箱型の装置本体１を備え、この装置本体１の前面２側には、ワープロとして使用する場合に文書データを入力操作する第１の操作手段としてのキーボード３を備えている。このキーボード３は装置本体１の前面パネル４の下部に回動可能に取り付けられており、ワープロとして使用する場合には図１のように装置本体１の前面パネル４の前側に倒して水平状態とし、使用しない場合には垂直向きに起し、前面パネル４に当接させて収納することができるようになっている。
【００１６】
キーボード３は、住所録や葉書の文面を入力するための文字・記号入力キーを備え、文面の編集、表示画面の制御、印刷などに必要とする各種の制御キーを備えている。
【００１７】
５は装置本体１の前面パネル４に設けた印刷シートの逃し穴であり、印刷動作時に印刷シートの一部が搬送の過程でこの逃し穴５から印刷装置外に突出する部分である。また、前記キーボード３は装置本体１の前面部に立てて収納可能にしているため、キーボード３にも逃し穴５に対応して同様の逃し穴６が設けられている。
【００１８】
装置本体１の上面７に位置する上面パネル８には、キーボード３から入力されたデータを表示し、各種の設定に必要なメニュー画面を表示し、またデジタルカメラから取り込んだ写真画像を表示するなどの他に、この装置で必要とする各種の情報を表示するための液晶表示部９が設けられている。この液晶表示部９はユーザが装置本体１に設けられた操作手段を操作するときに、その操作手段の位置に応じてユーザが見やすい向きに姿勢を変更可能に設けられている。例えば、図１のように、操作者がワープロ操作を行うときには、装置本体１の正面側に向けて液晶表示部９を立ち上げて見やすい角度に調整して使用できるようにしている。
【００１９】
また、装置本体１の上面パネル８には、装置の電源をオン・オフするための電源ボタン１０が設けられており、更にキーボード３とは別に写真画像の印刷処理などに対応するキー操作部１１が設けられている。そして、このキー操作部１１には、液晶表示部９に表示されるカーソルを移動制御するためのカーソルキー１２、表示画面上での種々の選択決定などを行うための決定キー１３、印刷を指示するための印刷キー１４が設けられている。
【００２０】
図２に示すように、装置本体１の背面１５に設けられた背面パネル１６の下半部には給紙口１７及び排紙口１８が設けられ、この給紙口１７及び排紙口１８に対応して給紙トレイ１９及び排紙トレイ２０が設けられる。給紙トレイ１９はその一端部が装置本体１の背面１５の下部に回動可能に取り付けられ、給紙口１７及び排紙口１８を開口させて装置本体１の背面１５側に水平に展開する使用位置と、給紙口１７及び排紙口１８を塞いで装置本体１の背面１５に当接して立てて収納する収納位置とに移動可能とされている。
【００２１】
給紙トレイ１９はプリンタカバーを兼ね、この給紙トレイ１９の片面側に前記排紙トレイ２０がその給紙トレイ１９と接離可能に対向するように設けられている。この排紙トレイ２０は給紙トレイ１９を給紙可能な使用位置に展開移動したときに排紙口１８からの排紙を受ける使用位置に配置される。
【００２２】
また、装置本体１の背面パネル１６には、デジカメなどによって撮影された画像を記録した複数の種類のメモリカードが装着可能なカードスロット２１ａ〜２１ｄが設けられている。このカードスロット２１ａ〜２１ｄが装置本体１の背面パネル１６に設けられる第２の操作手段としてのメモリカードの着脱操作部である。
【００２３】
このカードスロット２１ａ〜２１ｄは、給紙トレイ１９が使用位置に移動したときに、装置本体１の背面１５側に露出し、メモリカードが装着されると、メモリカードの端子がカードスロット２１ａ〜２１ｄ内のコネクタ端子に接続されて画像データが印刷装置側に読み出し可能となる。
【００２４】
メモリカードに記録された画像を印刷する場合には、操作者は図２のように装置本体１の背面１５を正面側に据え、カードスロット２１ａ〜２１ｄにメモリカードを装着操作するとともに、上面パネル８に設けられたキー操作部１１を操作して印刷すべき画像の選択や印刷の指示を行う。
【００２５】
前述のように、液晶表示部９は操作手段の位置に応じてユーザが見やすい向きに姿勢を変更可能に設けられており、例えば、図２のように、画像印刷のための操作時には、液晶表示部９を背面１５に向けることによりメモリカードから読み出されて液晶表示部９の表示画面に表示される画像を確認しながら選択操作など所定の操作を行えるようにしている。
【００２６】
、図３（Ａ）、（Ｂ）、（Ｃ）は操作手段の位置に応じてユーザが見やすい向きに液晶表示部９の向きを変更する機構の構成及び動作の説明図である。
【００２７】
図３に図示のように、液晶表示部９の表示画面の裏側の両側部には、一端部が取付軸５２，５３によって回動可能に取り付けられた２本の支持アーム５０、５１が交差するようにして設けられている。この支持アーム５０、５１の他端部には摺動ピン５４，５５が設けられ、この摺動ピン５４，５５が装置本体１の上面パネル８に形成された表示部収容用の凹部８ａの内側壁部分に設けられた溝５６，５７に摺動自在に係合されている。また、溝５６，５７内に臨んで摺動ピン５４，５５によってオン・オフ作動される第１及び第２の検知スイッチ５８，５９が設けられている。
【００２８】
図３（Ａ）は、液晶表示部９が上面パネル８の凹部８ａに収容されて水平に配置された状態であり、図３（Ｂ）は、液晶表示部９が上面パネル８上で装置本体１の前面２側に向けて立ち上げた状態であり、図３（Ｃ）は、液晶表示部９が上面パネル８上で装置本体１の背面１５側に向けて立ち上げた状態をそれぞれ模式的に示している。図３（Ａ）はこの装置を使用しない非動作時の表示部の位置であり、図３（Ｂ）はワープロとしての動作時、図３（Ｃ）はメモリカードを使用した写真画像の印刷動作時の各表示部の姿勢を示すものである。
【００２９】
液晶表示部９は、図３（Ａ）の収納状態から前面２側（キーボード側）を下にし背面１５側（カードスロット側）を上になるようにして持ち上げると、表示画面に対して水平方向の取付軸５２の軸線回りに回動して図３（Ｂ）のように表示画面を前面２側に向けて上面パネル８上に立ち上がる。また、図３（Ａ）の収納状態から背面１５側（カードスロット側）を下にし前面２側（キーボード側）を上になるようにして持ち上げると、表示画面に対して水平方向の取付軸５３の軸線回りに回動して図３（Ｃ）のように表示画面を背面１５側に向けて上面パネル８上に立ち上がる。
【００３０】
このような表示部９の向きを変更する機構を備えることで、装置本体１の前面２側又は背面１５側の各操作手段、すなわち、装置本体１の前面２側に配置されるキーボード３によって構成される文字データなどの入力操作手段、及び装置本体１の背面１５側に配置されるカードスロット２１ａ〜２１ｄによって構成されるメモリカードの着脱操作手段のそれぞれに対応し、それらの操作手段の操作時に操作者が液晶表示部９の表示内容を見やすい向きに変更することが可能になる。
【００３１】
また、図３（Ａ）、（Ｂ）、（Ｃ）に示す液晶表示部９の各姿勢は第１及び第２の検知スイッチ５８，５９のオン・オフ動作の組合せにより検知することができる。すなわち、図３（Ａ）に示す収納状態では、摺動ピン５４，５５がいずれも第１及び第２の検知スイッチ５８，５９を押圧しておらず、検知スイッチ５８，５９はともにオフ状態である。また、図３（Ｂ）の状態では、摺動ピン５４は溝５６内で停止したままで第２の検知スイッチ５９は作動しないが、摺動ピン５５が溝５７内を摺動して第１の検知スイッチ５８をオンに作動させるので、第１の検知スイッチ５８だけがオン状態になる。また、図３（Ｃ）の状態では、摺動ピン５５は溝５７内で停止したままで第１の検知スイッチ５８は作動しないが、摺動ピン５４が溝５６内を摺動して第２の検知スイッチ５９をオンに作動させるので、第２の検知スイッチ５９だけがオン状態になる。
【００３２】
ここで、図３（Ｂ）の状態と図３（Ｃ）の状態とを比較すると、液晶表示部９の上下位置が反対となり、図３（Ｂ）の状態での画面の表示内容をそのまま図３（Ｃ）の状態で見るとすると、表示内容が倒立して見えることになる。そこで、図３（Ｃ）に示すように、液晶表示部９の向きを背面１５側に向けたときには、検知スイッチ５８，５９の情報によって液晶表示部９の表示内容の上下左右を反転して表示することで、液晶表示部９の姿勢にかかわらず正立した像を見ることができる。
【００３３】
図４（Ａ）、（Ｂ）は印刷装置の内部の構成を示す説明図である。以下、図４によって印刷装置の内部構成を説明する。
【００３４】
給紙トレイ１９及び排紙トレイ２０が使用位置に展開され、この状態で給紙トレイ１９の上に印刷シートが装填される。この印刷シートとしては、ワープロ機能によって葉書を印刷する場合には葉書が使用され、またデジタルカメラの撮影画像を印刷する場合には専用の写真印刷用紙が使用される。
【００３５】
２５は給紙トレイ１９に重ねて収容された印刷シート４０を最上部より１枚ずつ印刷装置に繰り出すためのピックアップローラであり、図示しない駆動モータにより反時計方向に回転駆動される。このピックアップローラ２５の下側が前述の給紙口１７で、上側が前述の排紙口１８となっている。
【００３６】
給紙時にはピックアップローラ２５の下部に配置された給紙レバー２６が図示しない駆動機構により給紙トレイ１９の底部の先端付近で印刷シート４０の先端部を突き上げてピックアップローラ２５に向けて押圧する。
【００３７】
また、２７は印刷シート４０を印刷装置内に向けて搬入するための第１の搬送路であり、この搬送路２７の端部には印刷装置内での印刷シート４０の搬送を行うための駆動ローラ２８及び加圧ローラ２９からなる一対の搬送ローラが配置され、搬送路２７の途中には反射型の光センサからなる第１の紙センサ３０が設けられている。
【００３８】
なお、搬送ローラ２８，２９の右側には前述した図１に示す逃し穴５が配置され、印刷装置内に搬入された印刷シート４０の先端がその搬送の途中に一旦前記逃し穴５を通して印刷装置外に突出するようになっている。
【００３９】
また、３１は第１の搬送路２７を経て搬入された印刷シート４０がその搬送方向を反転したときに、その印刷シート４０を印刷装置外に搬出案内する第２の搬送路であり、この搬送路３１の途中にはインクジェット方式の印刷機構が配置されている。
【００４０】
この印刷機構は、ガイドレール３２に沿って印刷シート４０の搬送方向と直交する方向に移動可能なキャリッジ３３を備え、このキャリッジ３３には、Ｙ（イエロー）、Ｍ（マゼンタ）、Ｃ（シアン）の各色インクを吐出するそれぞれのノズルを有する印刷ヘッド３４が搭載されている。
【００４１】
キャリッジ３３には第２の搬送路３１に臨んで第２の紙センサ３５が設けられる。３６は余分なインクを吸収するインク受け部である。
【００４２】
また、排紙口１８に臨むように第２の搬送路３１の端部には、印刷後の印刷シート４０を排出するためにピックアップローラ２５に当接して転動する従動ローラ３７が設けられている。この従動ローラ３７は印刷シート４０の印刷面と反対面に接触するピックアップローラ２５に対向して印刷シート４０の印刷面に点接する。
【００４３】
なお、印刷動作時にピックアップローラ２５は駆動モータにより反時計方向に駆動され、駆動ローラ２８は駆動モータにより時計方向及び反時計方向に駆動される。
【００４４】
次に、印刷装置の動作について説明する。
【００４５】
印刷開始の指示があると、図４（Ａ）に示すように、ピックアップローラ２５が反時計方向に駆動され、給紙レバー２６と協働して１枚の印刷シート４０を第１の搬送路２７に向けて給紙する。ピックアップローラ２５によって第１の搬送路２７に搬送された印刷シート４０は搬送ローラ２８，２９に受け継がれ、搬送ローラ２８，２９によってその後端近部が搬送ローラ２８，２９の位置に達するまで更に搬送される。
【００４６】
印刷シート４０が第１の搬送路２７に搬送される過程で第１の紙センサ３０が印刷シート４０を検知し、印刷シート４０の後端が第１の紙センサ３０の位置を通過してから所定の距離だけ搬送されてその後端が第１の搬送路２７の端部から脱するタイミングに合わせて駆動ローラ２８の時計方向の回転が停止する。
【００４７】
次に、図４（Ｂ）に示すように、駆動ローラ２８が反時計方向に回転し、この駆動ローラ２８の反時計方向の回転で印刷シート４０は搬入時とは逆に後端側を先端として第２の搬送路３１に搬入され、排紙口１８に向けて搬送される。
【００４８】
第２の搬送路３１における搬送中に印刷シート４０の先端側が第２の紙センサ３５によって検知されときに、その検知に基づいてキャリッジ３３がガイドレール３２に沿って移動するとともに、印刷ヘッド３４が駆動され、印刷シート４０に対する印刷が行われる。
【００４９】
印刷が終了すると、印刷シート４０はピックアップローラ２５と従動ローラ３７によって排紙口１８を介して印刷装置外の排紙トレイ２０上に排出される。
【００５０】
次に、図５は印刷装置のブロック図を示す。
【００５１】
この印刷装置は制御部（ＣＰＵ）６０を備え、ＲＯＭ６１に格納された制御プログラムによって装置の各部の制御が行われる。また、ＲＡＭ６２が備えられ、入力されたデータや表示のためのデータ、あるいは印刷データが格納され、また必要な処理に関するデータが格納される。また、制御部６０には、キーボード３、キー操作部１１、印刷部６３、表示部９、検知スイッチ５８，５９、メモリカード制御部６４が接続される。メモリカード制御部６４は、メモリカード６５を介してカードスロットに差し込まれたメモリカードから画像データを取り込んで制御部６０に転送する。
【００５２】
また、制御部６０は、表示部９に表示する画像の上下左右を反転する機能を有しており、検知スイッチ５８，５９の動作信号により表示部９の姿勢が図３（Ｃ）の状態であることが判断されると、表示部９に表示する表示内容のデータの上下左右の反転処理を行う。
【００５３】
なお、検知スイッチ５８，５９によって表示部９の姿勢を検知する例について説明したが、装置本体１の上面パネル８に表示内容の反転指示キーを設けておき、このキー操作信号によって表示部９に表示内容の上下左右の反転処理を行うようにしてもよい。
【００５４】
また、表示部９の姿勢を変更する機構については、上記のものに限定するものではない。例えば、上面パネル８上に一対の支持部を立設し、この支持部に表示部９の両側部の中央部を軸支することで、表示部９を表示画面に対して水平方向の１つの軸線回り回動させて装置本体１の前面２側と背面１５側とに向きを変えるように構成してもよい。この場合にも上記実施の形態の場合と同様に表示部９の姿勢の変更を検知する検知スイッチを設け、表示内容の上下左右を反対にする処理を行う。また、検知スイッチに代えて表示内容の反転指示キーの操作に応じてその表示制御を行うようにしてもよい。また、例えば、上面パネル８上で表示画面に対して垂直方向の１つの軸線回り回動可能に表示部９を設け、この垂直軸回りに表示部９を回動させて装置本体１の前面２側と背面１５側とに向きを変更できるようにしてもよい。なお、このときには表示部９の上下位置が逆になることはないので上記実施の形態の場合と異なり表示内容の上下左右の反転処理は必要ない。
【００５５】
尚、表示部９の姿勢の変更は上述のような回動動作に限定されることはなく、例えば摺動させるように動作させても良い。
【図面の簡単な説明】
【００５６】
【図１】本発明の一実施形態に係る印刷装置の正面側から見た外観斜視図。
【図２】その印刷装置の背面側から見た外観斜視図。
【図３】表示部の姿勢を変更する機構の説明図。
【図４】印刷装置の内部構成の説明図。
【図５】印刷装置のブロック図。
【００５７】
１…装置本体
２…前面
３…キーボード（第１の操作手段）
４…前面パネル
８…上面パネル
８ａ…表示部収容用の凹部
９…液晶表示部
１１…キー操作部
１５…背面
１９…給紙トレイ
２０…排紙トレイ
２１ａ〜２１ｄ…カードスロット（第２の操作手段）
２５…ピックアップローラ
２６…給紙レバー
２７…搬送路
２８…駆動ローラ
２９…加圧ローラ
３０…紙センサ
３１…搬送路
３２…ガイドレール
３３…キャリッジ
３４…印刷ヘッド
３５…紙センサ
３７…従動ローラ
４０…印刷シート
５０、５１…支持アーム
５２、５３…取付軸
５４、５５…摺動ピン
５６、５７…溝
５８、５９…検知スイッチ
【図１】
2005091507.tif 000003
【図２】
2005091507.tif 000004
【図３】
2005091507.tif 000005
【図４】
2005091507.tif 000006
【図５】
2005091507.tif 000007